(57)【要約】【課題】送信装置との相対的な位置関係が変動してもより良好な受信品質を確保することのできるアンテナシステムを提供するものである。【解決手段】複数のアンテナユニット１１ａ１、１１ａ２がケーブルＣａ１により直列的に接続され、一方端のアンテナユニット１１ａ１は、アンテナ１０１と、アンテナ１０１にて受信される無線信号に基づいた受信信号を接続されるケーブルＣａ１に送出する送出回路Ｔ１１、１０２、１０３、１０４、１０９、Ｔ１３とを有し、一方端のアンテナユニット１１ａ１を除く各アンテナユニット１１ａ２は、アンテナ１０１と、一方のケーブルＣａ１を介して入力する信号とアンテナ１０１にて受信される無線信号に基づいた受信信号とを重ね合わせて合成信号を生成する信号合成回路１０９と、信号合成回路１０９にて得られる前記合成信号を接続される他方のケーブルＣａ２に送出する送出回路Ｔ１３とを有する構成となる。【選択図】図３
2012039508.tif 000002
【特許請求の範囲】
【請求項１】
受信装置に接続されるアンテナシステムであって、
複数のアンテナユニットが、前記受信装置から最も離れた側となるべき一方端から該受信装置に最も近い側となるべき他方端までケーブルにより直列的に接続され、
前記一方端のアンテナユニットは、送信装置からの無線信号を受信するアンテナと、
該アンテナにて受信される無線信号に基づいた受信信号を接続される出力側ケーブルに送出する送出回路とを有し、
前記複数のアンテナユニットのうち前記一方端のアンテナユニットを除く各アンテナユニットは、前記送信装置からの無線信号を受信するアンテナと、
入力側ケーブルを介して入力される信号と前記アンテナにて受信される無線信号に基づいた受信信号とを重ね合わせて合成信号を生成する信号合成回路と、
該信号合成回路にて得られる前記合成信号を接続される出力側ケーブルに送出する送出回路とを有するアンテナシステム。
【請求項２】
前記複数のアンテナユニットのそれぞれは、前記アンテナにて受信される無線信号から該無線信号の周波数より低い周波数の信号を前記受信信号として生成する周波数変換回路を有する請求項１記載のアンテナシステム。
【請求項３】
前記複数のアンテナユニットのうち前記一方端のアンテナユニットを除く各アンテナユニットは、前記合成信号を送出する前記出力側ケーブルを通して前記受信装置側から送られる基準信号を前記入力側ケーブルに送出する回路を有し、
前記周波数変換回路は前記基準信号を用いて前記受信信号とすべき前記無線信号の周波数より低い周波数の信号を生成する請求項２記載のアンテナシステム。
【請求項４】
前記一方端のアンテナユニットは、前記受信信号を送出する前記出力側ケーブルを通して前記受信装置側から送られる基準信号を入力して該基準信号を終端させる回路を有し、
前記周波数変換回路は前記基準基準信号に基づいて前記受信信号とすべき前記無線信号の周波数より低い周波数の信号を生成する請求項２または３記載のアンテナシステム。
【請求項５】
前記複数のアンテナユニットのそれぞれは、前記アンテナにて受信される無線信号の受信レベルを検出する受信レベル検出回路と、
該受信レベル検出回路にて受信される前記受信レベルが所定レベルより小さいときに、前記受信信号の送出を遮断する回路を有する請求項１乃至４のいずれかに記載のアンテナシステム。
【請求項６】
前記複数のアンテナユニットのうち前記一方端のアンテナユニットを除く各アンテナユニットは、前記入力側ケーブルから入力される信号を増幅する増幅回路を有し、該増幅回路にて得られる信号を前記合成回路に供する請求項１乃至５のいずれかに記載のアンテナシステム。
【請求項７】
受信装置に接続されるアンテナシステムであって、
前記受信装置から最も離れた側となるべき一方端から該受信装置に最も近い側となるべき他方端までケーブルにより直列的に接続された第１群の複数のアンテナユニットと、
前記受信装置から最も離れた側となるべき一方端から該受信装置に最も近い側となるべき他方端までケーブルにより直列的に接続された第２群の複数のアンテナユニットとを備え、
前記第１群及び前記第２群のそれぞれの複数のアンテナユニットのうちの前記一方端のアンテナユニットは、送信装置からの無線信号を受信するアンテナと、
該アンテナにて受信される無線信号に基づいた受信信号を接続される出力側ケーブルに送出する送出回路とを有し、
前記第１群及び前記第２群のそれぞれの複数のアンテナユニットのうち前記一方端のアンテナユニットを除く各アンテナユニットは、前記送信装置からの無線信号を受信するアンテナと、
入力側ケーブルを介して入力する信号と前記アンテナにて受信される無線信号に基づいた受信信号とを重ね合わせて合成信号を生成する信号合成回路と、
該信号合成回路にて得られる前記合成信号を接続される出力側ケーブルに送出する送出回路とを有するアンテナシステム。
【請求項８】
前記第１群及び前記第２群のそれぞれの前記複数のアンテナユニットのそれぞれは、前記アンテナにて受信される無線信号から該無線信号の周波数より低い周波数の信号を前記受信信号として生成する周波数変換回路を有する請求項７記載のアンテナシステム。
【請求項９】
前記第１群及び前記第２群のそれぞれの前記複数のアンテナユニットのそれぞれは、前記アンテナにて受信される無線信号の受信レベルを検出する受信レベル検出回路と、
該受信レベル検出回路にて受信される前記受信レベルが所定レベルより小さいときに、前記受信信号の送出を遮断する回路を有する請求項７または８に記載のアンテナシステム。
【請求項１０】
請求項１乃至６のいずれかに記載のアンテナシステムと、
該アンテナシステムが接続される前記受信装置とを有し、
前記アンテナシステムにおける前記受信装置に最も近い側の他方端のアンテナユニットの前記送出回路が前記合成信号を送出する前記出力側ケーブルが前記受信装置に接続された無線受信システム。
【請求項１１】
請求項７乃至９のいずれかに記載のアンテナシステムと、
該アンテナシステムが接続される前記受信装置とを有し、
前記第１群の複数のアンテナユニットのそれぞれと前記第２群の複数のアンテナユニットのいずれかとを対にして所定の位置関係にて配置し、
前記第１群及び前記第２群のそれぞれの前記複数のアンテナユニットのうちの前記受信装置に最も近い側の他方端のアンテナユニットの前記送出回路が前記合成信号を送出する前記出力側ケーブルが前記受信装置に接続され、
前記受信装置が入力される２系統の前記合成信号によりダイバーシティ受信処理を行う無線受信システム。
【発明の詳細な説明】
【技術分野】
【０００１】
本発明は、無線信号を受信して受信装置に送出するアンテナシステム及びそのアンテナシステムを用いた無線受信システムに関する。
【背景技術】
【０００２】
従来、移動通信においてフェージングの影響を極力抑えてより良い通信品質を確保するための技術としてダイバーシティ受信技術が知られている（例えば、特許文献１参照）。このダイバーシティ受信では、受信レベルの空間相関が低くなるように離して配置された複数のアンテナで同一の無線信号を受信し、電波状況の優れたアンテナでの受信信号を優先的に用いたり、あるいは、複数のアンテナでの受信信号を合成してノイズを除去したりしている。
【先行技術文献】
【特許文献】
【０００３】
【特許文献１】特開平６−９０２２５号公報
【発明の開示】
【発明が解決しようとする課題】
【０００４】
ところで、ある領域を移動する送信装置から情報信号（例えば、カメラで撮影して得られる動画等に係る情報信号）を無線送信し、その無線送信される情報信号を受信装置にて受信する無線システムが考えられる。このような無線システムでは、送信装置が移動することから、送信装置と受信装置との相対的な位置関係が変動する。このため、送信装置と受信装置との相対的な位置関係が、それらの間に大きな障害物（例えば、建物等）が位置するような関係になると、もはやダイバーシティ受信であっても、良好な通信品質を確保することが難しくなってしまう。このことは、特に高い周波数での無線通信（例えば、２．４ＧＨｚ帯での無線通信）において顕著になる。
【０００５】
本発明は、このような事情に鑑みてなされたもので、送信装置との相対的な位置関係が変動してもより良好な受信品質を確保することのできるアンテナシステム及びそのようなアンテナシステムを用いた無線受信システムを提供するものである。
【課題を解決するための手段】
【０００６】
本発明に係るアンテナシステムは、受信装置に接続されるアンテナシステムであって、複数のアンテナユニットが、前記受信装置から最も離れた側となるべき一方端ＡＵfから該受信装置に最も近い側となるべき他方端までケーブルにより直列的に接続され、前記一方端のアンテナユニットＡＵfは、送信装置からの無線信号を受信するアンテナと、該アンテナにて受信される無線信号に基づいた受信信号を接続される出力側ケーブルに送出する送出回路とを有し、前記複数のアンテナユニットのうち前記アンテナユニットＡＵfを除く各アンテナユニットは、前記送信装置からの無線信号を受信するアンテナと、入力側ケーブルを介して入力する信号と前記アンテナにて受信される無線信号に基づいた受信信号とを重ね合わせて合成信号を生成する信号合成回路と、該信号合成回路にて得られる前記合成信号を接続される出力側ケーブルに送出する送出回路とを有する構成となる。
【０００７】
このような構成により、受信装置から最も離れた側となるべき一方端のアンテナユニットＡＵfでは、アンテナにより受信される無線信号に基づいた受信信号が出力側ケーブに送出されて、その受信信号がそのケーブルを通して次のアンテナユニットに供給され、前記アンテナユニットＡＵf以外のアンテナユニットでは、アンテナにて受信される無線信号に基づいた受信信号と入力側ケーブル（前段のアンテナユニットの出力側ケーブルに相当）から入力される信号とを重ね合わせた合成信号が出力側ケーブルに送出されて、その合成信号がそのケーブルを通して次のアンテナユニットに供給されるようになる。このため、送信装置からの無線信号を複数のアンテナユニットの少なくとも１つのアンテナユニットにおけるアンテナにて受信すると、その無線信号に基づいた受信信号を含む信号が前記アンテナユニットＡＵfと逆側端のアンテナユニットの送出回路から出力側ケーブルに送出されるようになり、その信号を前記受信装置に供することができるようになる。
【０００８】
本発明に係るアンテナシステムにおいて、前記複数のアンテナユニットのそれぞれは、前記アンテナにて受信される無線信号から該無線信号の周波数より低い周波数の信号を前記受信信号として生成する周波数変換回路を有する構成とすることができる。
【０００９】
このような構成により、送信装置から送信される無線信号が比較的高い周波数の信号であっても、各アンテナユニットを直列的に接続するケーブルには、その無線信号の周波数より低い周波数の受信信号が伝送されるようになるので、ケーブルでの伝送ロスを比較的小さいものとすることができる。
【００１０】
また、本発明に係るアンテナシステムにおいて、前記複数のアンテナユニットのうち前記アンテナユニットＡＵfを除く各アンテナユニットは、前記合成信号を送出する前記出力側ケーブルを通して前記受信装置側から送られる基準信号を前記入力側ケーブルに送出する回路を有し、前記周波数変換回路は前記基準信号を用いて前記受信信号とすべき前記無線信号の周波数より低い周波数の信号を生成する構成とすることができる。
【００１１】
このような構成により、複数のアンテナユニットのうち前記アンテナユニットＡＵfを除く各アンテナユニットでは、合成信号を送出すべき出力側ケーブルを通じて基準信号が入力され、前段のアンテナユニットからの信号を入力する入力側ケーブルにその基準信号が送出されるようになるので、受信装置側から送られてくる基準信号が各アンテナユニットを接続するケーブルを合成信号の伝送方向とは逆の方向に順次伝送される。その過程で、各アンテナユニットにおいて前記基準信号を用いて前記受信信号とすべき前記無線信号の周波数より低い周波数の信号が生成される。
【００１２】
更に、本発明に係るアンテナシステムにおいて、前記アンテナユニットＡＵfは、前記受信信号を送出する前記出力側ケーブルを通して前記受信装置側から送られる基準信号を入力して該基準信号を終端させる回路を有し、前記周波数変換回路は前記基準基準信号に基づいて前記受信信号とすべき前記無線信号の周波数より低い周波数の信号を生成する構成とすることができる。
【００１３】
このような構成により、複数のアンテナユニットのうちアンテナユニットＡＵfでは、受信信号を送出すべき出力側ケーブルを通じて基準信号が入力され、その基準信号が終端されるので、受信信号を送出する方向と逆方向に入力された基準信号が反射することなく、その基準信号を用いて前記受信信号とすべき前記無線信号の周波数より低い周波数の信号が生成される。
【００１４】
また、本発明に係るアンテナシステムにおいて、前記複数のアンテナユニットのそれぞれは、前記アンテナにて受信される無線信号の受信レベルを検出する受信レベル検出回路と、該受信レベル検出回路にて受信される前記受信レベルが所定レベルより小さいときに、前記受信信号の送出を遮断する回路を有する構成とすることができる。
【００１５】
このような構成により、受信レベルの低いノイズに近い無線信号に基づいた受信信号やその他のレベルの低い不要な信号を遮断することによって、受信装置に提供される信号のＳ／Ｎを向上させることができる。
【００１６】
更に、本発明に係るアンテナシステムにおいて、前記複数のアンテナユニットのうち前記アンテナユニットＡＵfを除く各アンテナユニットは、前記入力側ケーブルから入力される信号を増幅する増幅回路を有し、該増幅回路にて得られる信号を前記合成回路に供する構成とすることができる。
【００１７】
このような構成により、アンテナユニットＡＵfを除く各アンテナユニットでは、入力側ケーブルから入力される信号が増幅されるので、信号（合成信号）のケーブルでの伝送ロスを各アンテナユニットで補償することができるようになる。
【００１８】
本発明に係るアンテナシステムは、受信装置に接続されるアンテナシステムであって、前記受信装置から最も離れた側となるべき一方端ＡＵ１fから該受信装置に最も近い側となるべき他方端までケーブルにより直列的に接続された第１群の複数のアンテナユニットと、前記受信装置から最も離れた側となるべき一方端ＡＵ２fから該受信装置に最も近い側となるべき他方端までケーブルにより直列的に接続された第２群の複数のアンテナユニットとを備え、前記第１群及び前記第２群のそれぞれの複数のアンテナユニットのうちの前記一方端のアンテナユニットＡＵ１f、ＡＵ２fは、送信装置からの無線信号を受信するアンテナと、該アンテナにて受信される無線信号に基づいた受信信号を接続される出力側ケーブルに送出する送出回路とを有し、前記第１群及び前記第２群のそれぞれの複数のアンテナユニットのうち前記アンテナユニットＡＵ１f、ＡＵ２fを除く各アンテナユニットは、前記送信装置からの無線信号を受信するアンテナと、入力側ケーブルを介して入力する信号と前記アンテナにて受信される無線信号に基づいた受信信号とを重ね合わせて合成信号を生成する信号合成回路と、該信号合成回路にて得られる前記合成信号を接続される出力側ケーブルに送出する送出回路とを有する構成となる。
【００１９】
このような構成により、第１群の複数のアンテナユニットと、第２群の複数のアンテナユニットとのそれぞれにおいて、送信装置からの無線信号をその複数のアンテナユニットの少なくとも１つのアンテナユニットにおけるアンテナにて受信すると、その無線信号に基づいた受信信号を含む信号が前記アンテナユニットＡＵ１f、ＡＵ２fと逆側端のアンテナユニットの送出回路から出力側ケーブルに送出され、その信号を前記受信装置に供することができるようになる。これにより、前記受信装置では、前記第１群の複数のアンテナユニットからの信号と第２群の複数のアンテナユニットからの信号の２系統の信号から無線信号に基づいた受信信号を抽出することができるようになる。
【００２０】
本発明に係る前記アンテナシステムにおいて、前記第１群及び前記第２群のそれぞれの前記複数のアンテナユニットのそれぞれは、前記アンテナにて受信される無線信号から該無線信号の周波数より低い周波数の信号を前記受信信号として生成する周波数変換回路を有する構成とすることができる。
【００２１】
このような構成により、第１群の複数のアンテナユニットと、第２群の複数のアンテナユニットとのそれぞれにおいて、送信装置から送信される無線信号が比較的高い周波数の信号であっても、各アンテナユニットを直列的に接続するケーブルには、その無線信号の周波数より低い周波数の受信信号が伝送するようになるので、ケーブルでの伝送ロスを比較的小さいものとすることができる。
【００２２】
また、本発明に係る前記アンテナシステムにおいて、前記第１群及び前記第２群のそれぞれの前記複数のアンテナユニットのそれぞれは、前記アンテナにて受信される無線信号の受信レベルを検出する受信レベル検出回路と、該受信レベル検出回路にて受信される前記受信レベルが所定レベルより小さいときに、前記受信信号の送出を遮断する回路を有することができる。
【００２３】
このような構成により、第１群の複数のアンテナユニットと、第２群の複数のアンテナユニットとのそれぞれにおいて、受信レベルの低いノイズに近い無線信号に基づいた受信信号やその他のレベルの低い不要な信号を遮断することによって、受信装置に提供される信号のＳ／Ｎを向上させることができる。
【００２４】
本発明に係る無線受信システムは、複数のアンテナユニットが前記受信装置から最も離れた側となるべき一方端ＡＵfから該受信装置に最も近い側となるべき他方端までケーブルにより直列的に接続された構成となる前記アンテナシステムと、該アンテナシステムが接続される前記受信装置とを有し、前記アンテナシステムにおける前記受信装置に最も近い側の他方端のアンテナユニットの前記送出回路が前記合成信号を送出する前記出力側ケーブルが前記受信装置に接続された構成となる。
【００２５】
このような構成により、送信装置からの無線信号を複数のアンテナユニットの少なくとも１つのアンテナユニットにおけるアンテナにて受信すると、その無線信号に基づいた受信信号を含む信号が受信装置に最も近い側となるべき他方端のアンテナユニットの送出回路から出力側ケーブルに送出され、その信号が前記受信装置に供されるようになるので、仮に送信装置が移動しても、前記複数のアンテナユニットのうちにその送信装置からの無線信号を受信することのできるアンテナユニットが少なくとも１つあれば、受信装置は、その信号からその少なくとも１つのアンテナユニットにおけるアンテナにて受信された無線信号に基づいた受信信号を抽出して処理することにより、前記無線信号の情報を良好に得ることができるようになる。
【００２６】
本発明に係る無線受信システムは、ケーブルにより直列的に接続された第１群の複数のアンテナユニットと、ケーブルにより直列的に接続された第２群の複数のアンテナユニットとを有する前記アンテナシステムと、該アンテナシステムが接続される前記受信装置とを有し、前記第１群の複数のアンテナユニットのそれぞれと前記第２群の複数のアンテナユニットのいずれかとを対にして所定の位置関係にて配置し、前記第１群及び前記第２群のそれぞれの前記複数のアンテナユニットのうちの前記受信装置に最も近い側の他方端のアンテナユニットの前記送出回路が前記合成信号を送出する前記出力側ケーブルが前記受信装置に接続され、前記受信装置が入力される２系統の前記合成信号によりダイバーシティ受信処理を行う構成となる。
【００２７】
このような構成により、第１群の複数のアンテナユニットと、第２群の複数のアンテナユニットとのそれぞれにおいて、送信装置からの無線信号をその複数のアンテナユニットの少なくとも１つのアンテナユニットにおけるアンテナにて受信すると、その無線信号に基づいた受信信号を含む信号が受信装置に最も近い側となるべき他方端のアンテナユニットの送出回路から出力側ケーブルに送出され、その信号を前記受信装置に供することができるようになるので、仮に送信装置が移動しても、第１群の前記複数のアンテナユニット及び第２群の前記複数のアンテナユニットのうちの少なくとも１対のアンテナユニットの送信装置からの無線信号に対する受信環境が良好であるならば、前記受信装置では、前記第１群の複数のアンテナユニットからの信号と前記第２群の複数のアンテナユニットからの信号の２系統の信号に対してダイバーシティ受信処理を行うことにより、無線信号の情報を良好に得ることができるようになる。
【００２８】
対になる前記第１群の複数のアンテナユニットのそれぞれと前記第２群の複数のアンテナユニットのいずれかとは、その対になる２つのアンテナユニットにてダイバーシティ受信を行うことを考慮してその位置関係を決めることができる。
【発明の効果】
【００２９】
本発明に係るアンテナシステムによれば、アンテナシステムと送信装置との相対的な位置関係が変動しても、複数のアンテナユニットのいずれかのアンテナにて該送信装置からの無線信号を受信することができる環境が保持されている限り、その無線信号に基づいた受信信号を含む合成信号が当該アンテナシステムから受信装置に供することができるようになるので、より良好な受信品質を確保することができるようになる。また、前記複数のアンテナユニットがケーブルにて直列的に接続されているので、ケーブルの量も、アンテナユニットを並列的に受信装置に接続する場合に比べて、低減させることができる。
【００３０】
また、本発明に係る無線受信システムによれば、より良好な受信品質にて送信装置からの無線信号を処理することができるようになる。
【図面の簡単な説明】
【００３１】
【図１】本発明の実施の形態に係る無線受信システムの基本的な構成を示すブロック図である。
【図２】図１に示す無線受信システムのアンテナシステムを構成する複数のアテナユニットの設置例を示す図である。
【図３】図１に示す無線受信システムのアンテナシステムを構成する各アンテナユニットの構成例を示すブロック図である。
【図４】図１に示す無線受信システムのアンテナシステムを構成する接続ユニットの構成例を示すブロック図である。
【図５】各アンテナユニットの他の構成例を示すブロック図である。
【図６】各アンテナユニットの更に他の構成例を示すブロック図である。
【図７】各アンテナユニットが図６に示す構成となる場合の接続ユニットの構成例を示すブロック図である。
【発明を実施するための形態】
【００３２】
以下、本発明の実施の形態について、図面を用いて説明する。
【００３３】
本発明の実施の形態に係る無線受信システムは、図１に示すように構成される。
【００３４】
図１において、この無線受信システムは、直列的に接続されたアンテナシステム１０、接続ユニット２０、受信装置３０及びＡＣアダプタ等の電源装置４０を備えている。アンテナシステム１０は、第１群の２つのアンテナユニット１１ａ１、１１ａ２と、第２群の２つのアンテナユニット１１ｂ１、１１ｂ２とを有している。第１群及び第２群のアンテナユニット１１ａ１、１１ａ２、１１ｂ１、１１ｂ２のそれぞれは、２つの入力側端子Ｔ１１、Ｔ１２と、１つの出力側端子Ｔ１３とを有している。また、接続ユニット２０は、２つの入力側端子Ｔ２１、Ｔ２２と、２つの出力側端子Ｔ２３、Ｔ２４と、１つの電源端子Ｔ２５とを有し、更に、受信装置３０は、２つの入力側端子Ｔ３１、Ｔ３２を有している。
【００３５】
アンテナステム１０における各アンテナユニット１１ａ１、１１ａ２、１１ｂ１、１１ｂ２の入力側端子Ｔ１１には、送信装置（図示略）から例えばＯＦＤＭ（直交周波数分割多重）の伝送方式にて送信される比較的高い周波数帯域、例えば、２．４ＧＨｚ帯の無線信号を受信するためのアンテナ１０１が接続されている。第１群の２つのアンテナユニット１１ａ１、１１ａ２については、受信装置３０から離れた側のアンテナユニット１１ａ１の出力側端子Ｔ１３と受信装置３０に近い側のアンテナユニット１１ａ２の入力側端子Ｔ１２とがケーブルＣａ１にて接続され、アンテナユニット１１ａ２の出力側端子Ｔ１３と接続ユニット２０の一方の入力側端子Ｔ１２とがケーブルＣａ２によって接続されている。このようにして第１群の２つのアンテナユニット１１ａ１、１１ａ２は、ケーブルＣａ１によって直列的に接続され、更に、ケーブルＣａ２によって接続ユニット２０とも直列的に接続されている。第２群の２つのアンテナユニット１１ｂ１、１１ｂ２も、同様に、ケーブルＣｂ１によって直列的に接続され、更に、送信装置３０に近い側のアンテナユニット１１ｂ２の出力側端子Ｔ１３と接続ユニット２０の他方の入力側端子Ｔ２２とがケーブルＣｂ２によって接続されることにより、接続ユニット２０とも直列的に接続されている。
【００３６】
また、接続ユニット２０の出力側端子Ｔ２３、Ｔ２４と受信装置３０の入力側端子Ｔ３１、Ｔ３２とがケーブルＣａ３、Ｃｂ３によって接続され、接続ユニット２０の電源端子Ｔ２５は、電源装置４０とケーブルＣｃによって接続されている。
【００３７】
アンテナシステム１０を構成する４つのアンテナユニット１１ａ１、１１ａ２、１１ｂ１、１１ｂ２は、送信装置の移動範囲を想定して、例えば、図２に示すように設置される。この場合、送信装置（例えば、送信機能付きカメラ）が建物ＢＤの表側と裏側との間で移動することを想定しており、その建物ＢＤの表側に、第１群の２つのアンテナユニット１１ａ１、１１ａ２のうちの受信装置３０から離れた側のアンテナユニット１１ａ１と、第２群の２つのアンテナユニット１１ｂ１、１１ｂ２のうちの受信装置３０から離れた側のアンテナユニット１１ｂ１とが対になってダイバーシティ受信に適した位置関係にて配置されている。また、その建物ＢＤの裏側に、第１群の２つのアンテナユニット１１ａ１、１１ａ２のうちの受信装置３０に近い側のアンテナユニット１１ａ２と、第２群の２つのアンテナユニット１１ｂ１、１１ｂ２のうちの受信装置３０に近い側のアンテナユニット１１ｂ２とが、同様に、対になってダイバーシティ受信に適した位置関係にて配置されている。
【００３８】
アンテナユニット１１ａ１、１１ａ２、１１ｂ１、１１ｂ２のそれぞれは、例えば、図３に示すように構成されている。なお、４つのアンテナユニット１１ａ１、１１ａ２、１１ｂ１、１１ｂ２は、単にアンテナユニット１１と総称される。
【００３９】
図３において、アンテナユニット１１は、増幅器１０２、周波数変換回路１０３、ＵＨＦ帯のバンドパスフィルタ（ＢＰＦ）１０４、レベル検出器１０５、増幅器１０６、シュミット回路１０７、スイッチ１０８、信号加算器１０９及びＰＬＬシンセサイザ１１０を有している。送信装置からの比較的高い周波数帯域（例えば、２．４ＧＨ帯）の無線信号を受信するアンテナ１０１からの信号は入力側端子Ｔ１１から増幅器１０２を介して周波数変換回路１０３に供給される。周波数変換回路１０３は、その周波数変換動作により、比較的高い周波数帯域（２．４ＧＨｚ帯）の前記信号から、それより低い周波数帯域であるＵＨＦ帯の信号を受信信号として生成する。周波数変換回路１０３にて生成されるＵＨＦ帯の受信信号がＵＨＦ帯のバンドパスフィルタ１０４を通ってスイッチ１０８に供給される。
【００４０】
周波数変換回路１０３は、後述するように接続ユニット２０側から転送される４０ＭＨｚの基準信号に基づいてＰＬＬシンセサイザ１１０にて生成されるクロック信号に同期して、２．４ＧＨｚ帯の信号からＵＨＦ帯の前記受信信号への周波数変換動作を行う。
【００４１】
レベル検出回路１０５は、前記受信信号の信号レベルを検出して、その信号レベルに応じたレベルの検出信号を出力する。レベル検出回路１０５から出力される検出信号はシュミット回路１０７に供給される。シュミット回路１０７は、その検出信号のレベルが所定レベルより小さいときに、オン・オフの切換え動作を行うスイッチ１０８をオフにする。このとき、バンドパスフィルタ１０４を介した前記受信信号の信号加算器１０９への送出が遮断される。一方、前記検出信号のレベルが所定レベルより大きいときには、シュミット回路１０７は、スイッチ１０８をオンにする。このとき、バンドパスフィルタ１０４を介した前記受信信号は信号加算器１０９に供給される。また、レベル検出回路１０５から出力される前記検出信号に基づいて前記受信信号のレベルが所定の範囲内に維持されるように増幅器１０２の利得（ゲイン）が制御される。
【００４２】
更に、アンテナユニット１１は、ＵＨＦ帯の信号を遮断するＵＨＦ遮断回路１１１、１１２、信号加算器１１３、スイッチ１１４、ＰＬＬシンセサイザ１１１の基準信号に用いられる４０ＭＨｚの信号を遮断する４０ＭＨｚ遮断回路１１５、１１７、１１８、増幅器１１６、電源回路１１９及び終端器１２０を有している。入力側端子Ｔ１２と出力側端子Ｔ１３との間に伝送ラインが形成されており、その伝送ライン上に、信号加算器１０９、ＵＨＦ遮断回路１１１、１１２、信号加算器１１３及びスイッチ１１４が直列的に接続されている。前記伝送ラインにおけるＵＨＦ遮断回路１１１とＵＨＦ遮断回路１１２との接続点にはＰＬＬシンセサイザ１１０が接続されるとともに、４０ＭＨｚ遮断回路１１８を介して電源回路１１９が接続されている。
【００４３】
信号加算器１１３から分岐して信号加算器１０９に至る伝送ライン上に、４０ＭＨｚ遮断回路１１５、増幅器１１６及び４０ＭＨｚ遮断回路１１７が直列的に接続されている。スイッチ１１４は、利用者の操作によって、信号加算器１１３を入力側端子Ｔ１２と終端器１２０とのいずれかに接続する。受信装置３０に近い側のアンテナユニット１１ａ２、１１ｂ２のそれぞれでは、スイッチ１１４により信号加算器１１３が入力側端子Ｔ１２に接続された状態となっている。これにより、入力側端子Ｔ１２に入力する信号がスイッチ１１４、信号加算器１１３、４０ＭＨｚ遮断回路１１５、増幅器１１６及び４０ＭＨｚ遮断回路１１７を通って信号加算器１０９に供給されるようになる。そして、スイッチ１０８を通って供給される前記受信信号と信号加算器１１３から分岐する伝送ラインを通って供給される信号とが信号加算器１０９により重ね合わされて、合成信号となって出力側端子Ｔ１３から送出し得るようになっている。
【００４４】
受信装置３０から離れた側のアンテナユニット１１ａ１、１１ｂ１のそれぞれでは、入力側端子Ｔ１２にはケーブルが接続されておらず（図１参照）、スイッチ１１４により信号加算器１１３が入力側端子Ｔ１２ではなく終端器１２０に接続されている。これにより、出力側端子Ｔ１３に一端が接続する伝送ラインは、入力側端子Ｔ１２に接続されることなく、終端器１２０によって終端された状態となる。
【００４５】
接続ユニット２０は、例えば、図４に示すように構成される。
【００４６】
図４において、接続ユニット２０には、入力側端子Ｔ２１と出力側端子Ｔ２３との間に伝送ラインが形成されるとともに、入力側端子Ｔ２２と出力側端子Ｔ２４との間に伝送ラインが形成されている。入力側端子Ｔ２１と出力側端子Ｔ２３との間の伝送ライン上には、信号加算器２０１と、ＵＨＦ帯のハイパスフィルタ（ＨＰＦ）２０２とが直列的に接続され、入力側端子Ｔ２２と出力側端子Ｔ２４との間の伝送ライン上には、信号加算器２０３とＵＨＦ帯のハイパスフィルタ（ＨＰＦ）２０４とが直列的に接続されている。
【００４７】
接続ユニット２０は、更に、４０ＨＭｚの基準信号を発振する４０ＭＨｚ発振器（ＯＳＣ）２０５、４０ＭＨｚのローパスフィルタ（ＬＰＦ）２０６、ＵＨＦ遮断回路２０７、２０８、ＵＨＦ帯及び４０ＭＨｚの基準信号を遮断するＵＨＦ・４０ＭＨｚ遮断回路２０９、２１０及び電流制限回路２１１を備えている。この接続ユニット２０において、電源装置４０（図１参照）から出力されてケーブルＣｃを通って送られてくる電力信号が電源端子Ｔ２５から入力されると、その電力信号は、過剰な電流を遮断する電流制限回路２１１を通り、ＵＨＦ・４０ＭＨｚ遮断回路２０９を介して入力側端子Ｔ２１と出力側端子Ｔ２３との間の伝送ラインに、また、ＵＨＦ・４０ＭＨｚ遮断回路２１０を介して入力側端子Ｔ２２と出力側端子Ｔ２４との間の伝送ラインに、それぞれ供給されるようになっている。電源端子Ｔ２５に入力した電力信号は、また、電源回路２１２に供給され、その供給される電力信号に基づいて電源回路２１２から４０ＭＨｚ発振器（ＯＳＣ）２０５への電力供給がなされる。
【００４８】
電源回路２１２からの電力供給により有効に動作する４０ＨＭｚ発振器（ＯＳＣ）２０５は、４０ＭＨｚの基準信号を発振する。４０ＭＨｚ発振器（ＯＳＣ）２０５から出力される基準信号（４０ＭＨｚ）が、４０ＭＨｚローパスフィルタ（ＬＰＦ）２０６を通り、ＵＨＦ遮断回路２０７を介して信号加算器２０１に、また、ＵＨＦ遮断回路２０８を介して信号加算器２０３に、それぞれ供給されるようになっている。
【００４９】
前述したような構造の無線受信システムでは、電源装置４０から出力される電力信号がケーブルＣｃを通って接続ユニット２０の電源端子Ｔ２５に入力し、その電力信号が、接続ユニット２０の電源回路２１２に供給され、また、入力側端子Ｔ２１と出力側端子Ｔ２３との間の伝送ラインを通って入力端子Ｔ２１から出力されるとともに、入力側端子Ｔ２２と出力側端子Ｔ２４との間の伝送ラインを通って入力端子Ｔ２２から出力される。
【００５０】
接続ユニット２０の一方の入力側端子Ｔ２１から出力される電力信号は、ケーブルＣａ２を通って第１群側のアンテナユニット１１ａ２の出力側端子Ｔ１３に入力する（図１参照）。アンテナユニット１１ａ２の出力側端子Ｔ１３に入力した電力信号は、入力側端子Ｔ１２と出力側端子Ｔ１３との間の伝送ライン上の信号加算回路１０９、ＵＨＦ遮断回路１１１、１１２、信号加算器１１３及びスイッチ１１４を介して入力側端子Ｔ１２から出力される（図３参照）。また、アンテナユニット１１ａ２において、出力側端子Ｔ１３から入力された電力信号は、ＵＨＦ遮断回路１１１及び４０ＭＨｚ遮断回路１１８を介して電源回路１１９に供給される。電源回路１１９は、前記電力信号の供給によって有効になり、アンテナユニット１１ａ２の各部への電力供給を行う。
【００５１】
アンテナユニット１１ａ２の入力側端子Ｔ１２から出力された電力信号は、ケーブルＣａ１を通ってアンテナユニット１１ａ１の出力端子Ｔ１３に入力する（図１参照）。アンテナユニット１１ａ１では、出力側端子Ｔ１３に入力した電力信号は、アンテナユニット１１ａ２の場合と同様に、電源回路１１９に供給され（図３参照）、その電力信号によって有効となる電源回路１１９から各部への電力供給がなされる。
【００５２】
また、接続ユニット２０の他方の入力側端子Ｔ２２から出力される電力信号は、前述したのと同様に、ケーブルＣｂ２を通って第２群側のアンテナユニット１１ｂ２に伝送され、そのアンテナユニット１１ｂ２から更にケーブルＣｂ１を通ってアンテナユニット１１ｂ１に伝送される。そして、各アンテナユニット１１ｂ１、１１ｂ２において、入力する電力信号が電源回路１１９に供給され、その電力信号によって有効となる電源回路１１９から各部への電力供給がなされる。
【００５３】
このようにして、電源装置４０からの電力信号が、接続ユニット２０に供給され、接続ユニット２０から更に第１群の２つのアンテナユニット１１ａ１、１１ａ１のそれぞれ、及び第２群の２つのアンテナユニット１１ｂ１、１１ｂ２のそれぞれに供給される。この電力信号の供給により、接続ユニット２０、第１群の２つのアンテナユニット１１ａ１、１１ａ２のそれぞれ、及び第２群の２つのアンテナユニット１１ｂ１、１１ｂ２のそれぞれが動作するようになる。
【００５４】
接続ユニット２０において（図４参照）、４０ＭＨｚ発振器（ＯＳＣ）２０５から出力される４０ＭＨｚの基準信号が入力側端子Ｔ２１、Ｔ２２から出力される。接続ユニット２０の一方の入力側端子Ｔ２１から出力される基準信号は、ケーブルＣａ２を通って第１群側のアンテナユニット１１ａ２の出力側端子Ｔ１３に入力する（図１参照）。アンテナユニット１１ａ２の出力側端子Ｔ１３に入力した基準信号（４０ＭＨｚ）は、入力側端子Ｔ１２と出力側端子Ｔ１３との間の伝送ライン上の信号加算回路１０９、ＵＨＦ遮断回路１１１、１１２、信号加算器１１３及びスイッチ１１４を介して入力側端子Ｔ１２から出力される（図３参照）。また、そのアンテナユニット１１ａ２において、出力側端子Ｔ１３から入力された基準信号は、ＵＨＦ遮断回路１１１を介してＰＬＬシンセサイザ１１０に供給される。ＰＬＬシンセサイザ１１０は、供給される基準信号（４０ＭＨｚ）に基づいて所定のクロック信号を生成し、そのクロック信号を周波数変換回路１０３に供給する。そして、前述したように、周波数変換回路１０３がそのクロック信号に同期してアンテナ１０１からの高い周波数帯域の信号をそれより低いＵＨＦ帯の受信信号に周波数変換する。
【００５５】
アンテナユニット１１ａ２の入力側端子Ｔ１２から出力された基準信号は、ケーブルＣａ１を通ってアンテナユニット１１ａ１の出力端子Ｔ１３に入力する（図１参照）。アンテナユニット１１ａ１では、出力側端子Ｔ１３に入力した基準信号は、アンテナユニット１１ａ２の場合と同様に、ＰＬＬシンセサイザ１１０に供給され、ＰＬＬシンセサイザ１１０がその供給される基準信号（４０ＭＨｚ）に基づいて所定のクロック信号を生成し、そのクロック信号を周波数変換回路１０３に供給する。また、アンテナユニット１１ａ１では、スイッチ１１４により信号加算器１１３が終端器１２０に接続された状態となっており、出力側端子Ｔ１３に入力した前記基準信号は、出力側端子Ｔ１３と入力側端子Ｔ１２との間の伝送ライン上の信号加算器１０９、ＵＨＦ遮断回路１１１、１１２、信号加算器１１３及びスイッチ１１４を通って終端器１２０に伝送される。このように、４０ＭＨｚの基準信号は、送信装置３０から離れた側のアンテナユニット１１ａ１において反射することなく、終端器１２０によって終端される。
【００５６】
また、接続ユニット２０の他方の入力側端子Ｔ２２から出力される基準信号（４０ＭＨｚ）は、前述したのと同様に、ケーブルＣｂ２を通って第２群側のアンテナユニット１１ｂ２に伝送され、アンテナユニット１１ｂ２から更にケーブルＣｂ１を通ってアンテナユニット１１ｂ１に伝送され、この送信装置３０から離れた側のアンテナユニット１１ｂ１において終端される。そして、各アンテナユニット１１ｂ１、１１ｂ２において、入力する基準信号がＰＬＬシンセサイザ１１０に供給され、ＰＬＬシンセサイザ１１０がその供給される基準信号（４０ＭＨｚ）基づいてクロック信号を生成し、そのクロック信号を周波数変換回路１０３に供給する。
【００５７】
このようにして、接続ユニット２０の４０ＭＨｚ発振器（ＯＳＣ）２０５からの基準信号（４０ＭＨｚ）が、第１群の２つのアンテナユニット１１ａ１、１１ａ２のそれぞれ、及び第２群の２つのアンテナユニット１１ｂ１、１１ｂ２のそれぞれに供給される。この基準信号の供給により、第１群の２つのアンテナユニット１１ａ１、１１ａ２のそれぞれ、及び第２群の２つのアンテナユニット１１ｂ１、１１ｂ２のそれぞれのＰＬＬシンセサイザ１１０が動作するようになり、そのＰＬＬシンセサイザ１１０からのクロック信号に同期して周波数変換回路１０３が動作するようになる。
【００５８】
建物ＢＤの表側にダイバーシティ受信に適した位置関係で配置された（図２参照）第１群の２つのアンテナユニット１１ａ１、１１ａ２のうちの受信装置３０から離れた側のアンテナユニット１１ａ１では、無線信号を受信するアンテナ１０１からの信号が増幅器１０２によって増幅され、その増幅された信号がＰＬＬシンセサイザ１１０からのクロック信号に同期して動作する周波数変換回路１０３によってＵＨＦ帯の受信信号に変換される。そして、その受信信号のレベルが所定レベルより大きい場合には、シュミット回路１０７によってオンされるスイッチ１０８を介してＵＨＦ帯の前記受信信号が信号加算器１０９に供給される。入力側端子Ｔ１２は何も接続されることなく開放となっているので、アンテナユニット１１ａ１において信号加算器１０９に供給された前記受信信号は、そのまま出力側端子Ｔ１３からケーブルＣａ１に送出される（送出回路）。
【００５９】
前述したようにアンテナユニット１１ａ１の出力側端子Ｔ１３からケーブルＣａ１に送出される前記受信信号は、そのケーブルＣａ１を通って建物ＢＤの裏側に配置された（図２参照）アンテナユニット１１ａ２の入力側端子Ｔ１２に入力する。そのアンテナユニット１１ａ２では、入力側端子Ｔ１２に入力された前段のアンテナユニット１１ａ１での受信信号（ＵＨＦ帯）が、スイッチ１１４を介して信号加算器１１３に供給される。信号加算器１１３は、供給される受信信号（ＵＨＦ帯）をＵＨＦ遮断回路１１２側と４０ＨＭｚ遮断回路１１５側とに供給する。前記受信信号は、ＵＨＦ遮断回路１１２側では遮断されるので、４０Ｍｚ遮断回路１１５を介して増幅器１１６に供給され、その増幅器１１６によってケーブルＣａ１での伝送ロスが補償されて、更に、４０ＭＨｚ遮断回路１１７を介して信号加算器１０９に供給される。
【００６０】
この建物ＢＤの裏側に配置されたアンテナユニット１１ａ２でも、無線信号を受信するアンテナ１０１からの比較的高い周波数帯域（２．４ＧＨｚ）の信号は周波数変換回路１０３によってＵＨＦ帯の受信信号に変換されており、その受信信号のレベルが所定レベルより大きければ、その受信信号がスイッチ１０８を介して信号加算器１０９に供給される。信号加算器１０９は、前述したように入力側端子Ｔ１２に入力された前段のアンテナユニット１１ａ１からの受信信号と当該アンテナユニット１１ａ２での前記受信信号とを重ね合わせ、その合成信号が出力側端子Ｔ１３からケーブルＣａ２に送出される（送出回路）。
【００６１】
受信装置３０に近い側のアンテナユニット１１ａ２の出力側端子Ｔ１３からケーブルＣａ２に送出された合成信号は、ケーブルＣａ２を通って接続ユニット２０の一方の入力側端子Ｔ２１に入力する（図４参照）。接続ユニット２０の入力側端子Ｔ２１に入力した合成信号は、信号加算器２０１及びＵＨＦ帯のハイパスフィルタ２０２を通って出力側端子Ｔ２３からケーブルＣａ３に送出される。そして、その合成信号は、ケーブルＣａ３を通って受信装置３０の入力側端子Ｔ３１に入力する。
【００６２】
第２群のアンテナユニット１１ｂ１、１１ｂ２でも、前述した第１群の２つのアンテナユニット１１ａ１、１１ａ２と同様にして、受信装置３０から離れた側のアンテナユニット１１ｂ１での受信信号と受信装置３０に近い側のアンテナユニット１１ｂ２での受信信号とがアンテナユニット１１ｂ２にて重ね合わされ、その重ね合わせにより得られた合成信号がアンテナユニット１１ｂ２（出力側端子Ｔ１３）から接続ユニット２０（入力側端子Ｔ２２、出力側端子Ｔ２４）を介して受信装置３０の入力側端子Ｔ３２に供給される。
【００６３】
例えば、送信装置が建物ＢＤの表側に位置して、建物ＢＤの裏側に配置された第１群側及び第２群側のアンテナユニット１１ａ２、１１ｂ２での受信信号のレベルが所定レベルより低い場合（スイッチ１０８がオフ）、受信装置３０の入力端子Ｔ３１、Ｔ３２に入力する合成信号は、建物ＤＢの表側に配置された第１群側及び第２群側のアンテナユニット１１ａ１、１１ｂ１での受信信号だけを含むことになる。従って、受信装置３０は、第１群のアンテナユニット１１ａ１、１１ａ２のうちの一方のアンテナユニット１１ａ１での受信信号と第２群のアンテナユニット１１ｂ１、１１ｂ２のうちの一方のアンテナユニット１１ｂ１での受信信号の２系統の受信信号に対するダイバーシティ受信処理を行って送信装置からの無線信号の情報を再生（復調）する。
【００６４】
一方、例えば、送信装置が建物ＢＤの裏側に位置して、建物ＢＤの表側に配置される第１群側及び第２群側のアンテナユニット１１ａ１、１１ｂ１での受信信号レベルが所定レベルより低い場合（スイッチ１０８がオフ）、受信装置３０の入力端子Ｔ３１、Ｔ３２に入力する合成信号は、建物ＤＢの裏側に配置された第１群側及び第２群側のアンテナユニット１１ａ２、１１ｂ２での受信信号だけを含むことになる。従って、受信装置３０は、第１群のアンテナユニット１１ａ１、１１ａ２のうちの一方のアンテナユニット１１ａ２での受信信号と第２群のアンテナユニット１１ｂ１、１１ｂ２のうちの一方のアンテナユニット１１ｂ２での受信信号の２系統の受信信号に対するダイバーシティ受信処理を行って送信装置からの無線信号の情報を再生（復調）する。
【００６５】
また、送信装置が第１群の２つのアンテナユニット１１ａ１、１１ａ２及び第２群の２つのアンテナユニット１１ｂ１、１１ｂ２のそれぞれでその無線信号を受信できる位置にある場合、受信装置３０の一方の入力側端子Ｔ３１に入力する合成信号は、建物ＤＢの表側に配置された第１群側のアンテナユニット１１ａ１での受信信号の成分とアンテナユニット１１ａ２での受信信号の成分とを含むものとなっている。また、受信信号３０の他方の入力側端子Ｔ３２に入力する合成信号も、建物ＤＢの表側に配置された第２群側のアンテナユニット１１ｂ１での受信信号の成分とアンテナユニット１１ｂ２での受信信号の成分とを含むものとなっている。受信装置３０は、この場合、入力側端子Ｔ３１、Ｔ３２に入力する第１群のアンテナユニット１１ａ１、１１ａ２から入力する信号と第２群のアンテナユニット１１ｂ１、１１ｂ２から入力する信号の２系統の信号（受信信号）に対するダイバーシティ受信処理を行う。このダイバーシティ受信処理により、より確かな状態の受信信号が抽出されて送信装置からの無線信号の情報が再生（復調）される。
【００６６】
前述した無線受信システムによれば、仮に送信装置が建物ＤＢの周囲を移動しても、第１群の２つのアンテナユニット１１ａ１、１１ａ２及び第２群の２つのアンテナユニット１１ｂ１、１１ｂ２のうちの少なくとも１対のアンテナユニット（１１ａ１及び１１ｂ１または１１ａ２及び１１ｂ２）の送信装置からの無線信号に対する受信環境が良好であるならば、前記受信装置では、２系統の合成信号（受信信号）に対してダイバーシティ受信処理を行うことにより、前記無線信号に基づいた受信信号が抽出され、その無線信号の情報を良好に得ることができるようになる。
【００６７】
また、各アンテナユニット１１ａ１、１１ａ２、１１ｂ１、１１ｂ２において、受信信号のレベルが所定レベルより小さいときには、スイッチ１０８がオフしてその送出が遮断されるようになるので、受信レベルの低いノイズに近い無線信号に基づいた受信信号やその受信信号を含む合成信号が各アンテナユニットから送出されなり、受信装置３０に供給される合成信号はノイズ成分がより少ないものとなり得る。
【００６８】
更に、第１群の２つのアンテナユニット１１ａ１、１１ａ２がケーブルＣａ１、Ｃａ２によって、第２群の２つのアンテナユニット１１ｂ１、１１ｂ２がケーブルＣｂ１、Ｃｂ２によって、それぞれ受信装置３０（接続ユニット２０）に直列的に接続された構造となっているので、並列的に接続する場合に比べて必要とするケーブルの量を減らすことができる。
【００６９】
なお、前述した例では、第１群側及び第２群側とも、２つのアンテナユニットが直列的に接続されるものであったが、更に多くのアンテナユニットを直列的に接続することも可能である。
【００７０】
また、各アンテナユニット１１ａ１、１１ａ２、１１ｂ１、１１ｂ２は、図３に示す構成に代えて、図５に示すように構成することができる。この場合、終端器１２０（図３参照）が省かれており、入力側端子Ｔ１２と出力側端子Ｔ１３との間の伝送ライン上に、２つのＵＨＦ遮断回路１１１、１１２及び信号加算器１１３に加えて、その２つＵＨＦ遮断回路１１１と１１２との間に２つの４０ＭＨｚ遮断回路１１８、１２３が設けられる。また、４０ＭＨｚのケーブル補償アンプ１２１が、２つの４０ＭＨｚ遮断回路１１８、１２３に並列的に接続されている。更に、増幅器１２２がケーブル補償アンプ１２１とＰＬＬシンセサイザ１１０との間に接続されている。
【００７１】
この場合、シュミット回路１０７及びスイッチ１０８も省かれており、周波数変換回路１０３にて生成されるＵＨＦ帯の受信信号が、ＵＨＦ帯のバンドバスフィルタ１０４を通って、スイッチ１０８（図３参照）を通ることなく、信号加算器１０９に供給されている。
【００７２】
このような構成のアンテナユニット１１では、出力側端子Ｔ１３に入力する４０ＭＨｚの基準信号は、信号加算回路１０９からＵＨＦ遮断回路１１１、ケーブル補償アンプ１２１及び増幅器１２２を通してＰＬＬシンセサイザ１１０に供給される。この場合、入力側端子Ｔ１２に何も接続されていない受信装置３０から遠い側のアンテナユニット１１ａ１、１１ｂ１では、４０ＭＨｚの基準信号は、出力側端子Ｔ１３から入力してから信号加算器１０９を通って４０ＭＨｚのケーブル補償アンプ１２１に至るまでに終端する。
【００７３】
また、受信信号のレベルが低くてノイズに類した信号であっても、信号加算器１０９を介して出力側端子Ｔ１３から送出されるようになって、最終的に受信装置３０に供給される合成信号にはそのような信号成分が含まれることになるが、このようにノイズに類する信号はケーブルにより減衰するので、多くの場合、受信装置３０ではノイズによって妨げられることなく必要な受信信号を得ることができる。
【００７４】
前述した無線通信システムでは、送信装置からの無線信号が比較的高い周波数帯域（２．４ＧＨｚ帯）の信号であって、各アンテナユニット１１において、そのような比較的高い周波数帯の信号がＵＨＦ帯の受信信号に変換されている。このため、各ケーブルを、無線信号と同様の高い周波数帯の信号ではなく、それより低い周波数帯域であるＵＨＦ帯の受信信号が伝送するようになるので、その伝送ロスを低く抑えることができる。
【００７５】
送信装置からもともと比較的低い周波数帯域の無線信号が送信される場合には、各アンテナユニット１１には、周波数変換の機能（周波数変換回路１０３、ＰＬＬシンセサイザ１１０、４０Ｍ遮断回路１１５、１１７、１１８等）を設ける必要がなくなる。この場合、各アンテナユニット１１は図６に示すように構成することができ、また、接続ユニット２０は、図７に示すように構成することができる。
【００７６】
図６に示す各アンテナユニット１１では、無線信号を受信するアンテナ１０１からの信号が増幅器１０２を介して受信信号として信号加算器１０９に供給され、入力側端子Ｔ１２と出力側端子Ｔ１３との間の伝送ライン上に、信号加算器１０９及び信号加算器１１３が設けられるとともに、それらの間にＲＦ遮断回路１２４、１２５（図３におけるＵＨＦ遮断回路１１１、１１２に相当）が設けられる。そして、信号加算器１１３から分岐して信号加算器１０９に至る伝送経路上には、ケーブルでの伝送ロスを補償する増幅器１１６が設けられている。なお、２つのＲＦ遮断回路１２４と１２５との間には電源回路１１９が接続される。
【００７７】
図７に示す接続ユニット２０では、一方の入力側端子Ｔ２１と一方の出力側端子Ｔ２３との間に形成される伝送ライン上に合成信号（受信信号）の通過し得るハイパスフィルタ２１５が設けられるとともに、他方の入力側端子Ｔ２２と他方の出力側端子Ｔ２４との間に形成される伝送ライン上に合成信号（受信信号）の通過し得るハイパスフィルタ２１６が設けられている。そして、電源端子Ｔ２５に接続される電流制限回路２１１が、ＲＦ遮断回路２１３を介して入力側端子Ｔ２１と出力側端子Ｔ２３との間の伝送ラインに接続され、また、ＲＦ遮断回路２１４を介して入力側端子Ｔ２２と出力側端子Ｔ２４との間の伝送ラインに接続される。
【００７８】
比較的低い周波数帯域の無線信号を送信する場合も、前述した例と同様に、第１群の複数のアンテナユニット１１と、第２群の複数のアンテナユニット１１とのそれぞれにおいて、送信装置からの無線信号をその複数のアンテナユニットの少なくとも１つのアンテナユニットにおけるアンテナにて受信すると、その無線信号に基づいた受信信号を含む合成信号が受信装置３０に供給されるようになる。従って、仮に送信装置が移動しても、第１群の前記複数のアンテナユニット１１及び第２群の前記複数のアンテナユニット１１のうちの少なくとも１対のアンテナユニット１１の送信装置からの無線信号に対する受信環境が良好であるならば、受信装置３０では、前記第１群のアンテナユニット１１からの合成信号と前記第２群のアンテナユニット１１からの合成信号の２系統の合成信号に対してダイバーシティ受信処理を行うことにより、無線信号の情報を良好に得ることができるようになる。
【００７９】
また、比較的低い周波数帯域の無線信号を送信する場合には、各ケーブルでの伝送ロスも低く抑えることができるとともに、各アンテナユニット１１及び接続ユニット２０には、周波数変換に必要な回路を設ける必要がなく、その構成をより簡素にすることができる。
【００８０】
なお、電源装置４０を省略して、受信装置３０の電源回路から電力信号がケーブルを通して接続ユニット２０の電源端子Ｔ２５に供給されるように構成することもできる。また、前述した各例における接続ユニット２０は、受信装置３０に含めることもできる。
【符号の説明】
【００８１】
１０  アンテナシステム
１１、１１ａ１、１１ａ２、１１ｂ１、１１ｂ２  アンテナユニット
１０１  アンテナ
１０２  増幅器
１０３  周波数変換回路
１０４  ＵＨＦ帯のバンドパスフィルタ
１０５  レベル検出回路
１０６  増幅器
１０７  シュミット回路
１０８  スイッチ
１０９  信号加算器
１１０  ＰＬＬシンセサイザ
１１１、１１２  ＵＨＦ遮断回路
１１３  信号加算器
１１４  スイッチ
１１５、１１７、１１８、１２３  ４０ＭＨｚ遮断回路
１１９  電源回路
１２０  終端器
１２１  ケーブル補償アンプ
１２２  増幅器
１２４、１２５  ＲＦ遮断回路
２０  接続ユニット
２０１、２０３  信号加算器
２０２、２０４  ＵＨＦ帯のハイパスフィルタ
２０５  ４０ＭＨｚ発振器
２０６  ４０ＭＨｚのローパスフィルタ
２０７、２０８  ＵＨＦ遮断回路
２０９、２１０  ＵＨＦ・４０ＭＨｚ遮断回路
２１１  電流制限回路
２１２  電源回路
２１３、２１４  ＲＦ遮断回路
２１５、２１６  ハイパスフィルタ
３０  受信装置
【図１】
2012039508.tif 000003
【図２】
2012039508.tif 000004
【図３】
2012039508.tif 000005
【図４】
2012039508.tif 000006
【図５】
2012039508.tif 000007
【図６】
2012039508.tif 000008
【図７】
2012039508.tif 000009